【手続補正書】
【提出日】平成18年4月21日(2006.4.21)
【手続補正１】
【補正対象書類名】明細書
【補正対象項目名】特許請求の範囲
【補正方法】変更
【補正の内容】
【特許請求の範囲】
【請求項１】デリバリーシステムであって
ハンドル及び
当該ハンドルに摺動可能に及びネジにより連結された鞘
を含み、当該ハンドルが、
摺動リング及び
摺動リングの中にあるスライドであって、当該スライドが当該摺動リングにネジによって装着されているスライド
を含むシステム。
【請求項２】当該摺動リングの軸回転が当該スライドを当該摺動リングの遠位端から離れて近位端に向かって軸方向に移動させる請求項１記載のシステム。
【請求項３】当該鞘が当該スライドに連結されている請求項２記載のシステム。
【請求項４】デリバリーシステムであって
ハンドル及び
当該ハンドルに摺動可能に及びネジにより連結された鞘
を含み、当該ハンドルが、
近位のハウジング、
遠位のハウジング、
当該近位のハウジング及び当該遠位のハウジングの間を延びている摺動軸、
摺動リング及び
当該摺動リングの中に位置したスライド、ここで当該鞘は当該スライドに連結されており、当該摺動リング及び当該スライドは当該摺動軸上に摺動可能に装着されている、
を含むシステム。
【請求項５】デリバリーシステムであって、
ハンドルを含み、当該ハンドルが
少なくとも一つのスロットを含む摺動軸、
摺動リング、
当該摺動リングにネジで装着されたスライドであって、
当該摺動軸の内側の内体、
当該摺動軸の外側の外体及び
当該内体と当該外体を上記少なくとも１個のスロットを通して連結している連結器
を含むスライドを含み、
ここで当該摺動リング及び当該スライドが当該摺動軸に摺動可能に装着されているところのシステム。
【請求項６】当該内体に連結された鞘をさらに含む請求項５記載のシステム。
【請求項７】当該鞘が押し出し棒管腔を有し、当該デリバリーシステムがさらに
当該鞘を通って延びる押し出し棒及び
当該押し出し棒の遠位端の上にありかつ当該鞘の遠位端の中に拘束されている補綴
を含む請求項６記載のシステム。
【請求項８】当該補綴が、当該摺動リングを当該摺動軸上を摺動させることによって配置される請求項７記載のシステム。
【請求項９】当該補綴が当該摺動リングの回転によって配置される請求項７記載のシステム。
【請求項１０】当該補綴が、当該摺動リングを回転し摺動させることによって配置される請求項７記載のシステム。
【請求項１１】当該摺動リングが、当該外体のネジを切られた外面にネジでかみ合わされたネジを切られた内面を含む請求項５記載のシステム。
【請求項１２】当該摺動リングの回転が、当該摺動リングのネジを切られた内面の螺旋状の道に沿って当該スライドを移動させる請求項１１記載のシステム。
【請求項１３】デリバリーシステムであって、
押し出し棒管腔を含む鞘、
当該鞘を通って延びる押し出し棒、及び
当該鞘に連結したハブアセンブリーを含むハンドルであって、当該ハブアセンブリーが、当該押し出し棒から当該ハブアセンブリーを選択的に係合及び解係合するための選択的係合部材を含むところのハンドル、ここで、当該ハブアセンブリーが当該押し出し棒と係合される時、当該選択的係合部材のネジを切られた面が、当該押し出し棒のネジを切られた外面にネジで装着される、
を含むシステム。
【請求項１４】当該ハブアセンブリーが当該押し出し棒と係合され、且つ、当該ハブアセンブリーの軸回転が当該鞘の軸方向の移動を起こさせる請求項１３記載のシステム。
【請求項１５】当該ハブアセンブリーが当該押し出し棒から係合を解かれる時、当該ハブアセンブリーが当該押し出し棒に摺動可能に装着される請求項１３記載のシステム。
【請求項１６】当該ハブアセンブリーが当該押し出し棒に係合される時、当該ハブアセンブリーが当該押し出し棒にネジにより装着される請求項１３記載のシステム。
【請求項１７】当該選択的係合部材が少なくとも１個のスプリングアームを含む請求項１３記載のシステム。
【請求項１８】デリバリーシステムであって、
押し出し棒管腔を含む鞘、
当該鞘を通って延びる押し出し棒、及び
当該鞘に連結したハブアセンブリーを含むハンドルであって、当該ハブアセンブリーが、当該押し出し棒から当該ハブアセンブリーを選択的に係合及び解係合するための選択的係合部材を含むところのハンドル、ここで、当該選択的係合部材が少なくとも１個のスプリングアームを含み、かつ当該ハブアセンブリーが当該押し出し棒と係合される時、摺動リングが、当該少なくとも１個のスプリングアームを押しつける少なくとも１個のタブを含む、
を含むシステム。
【請求項１９】デリバリーシステムであって、
鞘、
管腔を含む、ネジを切られた棒、及び
当該鞘に回転可能に連結したハブアセンブリーであって、当該ハブアセンブリーが、当該ネジを切られた棒から当該ハブアセンブリーを選択的に係合及び解係合するための選択的係合部材を含むところのハブアセンブリー、ここで、当該ハブアセンブリーが当該ネジを切られた棒と係合される時、当該選択的係合部材のネジを切られた面が、当該ネジを切られた棒のネジを切られた外面にネジで装着される、
を含むシステム。
【請求項２０】当該ハブアセンブリーが当該ネジを切られた棒と係合され、且つ、当該ハブアセンブリーの軸回転が当該鞘の軸方向の移動を起こさせる請求項１９記載のシステム。
【請求項２１】当該ハブアセンブリーが当該ネジを切られた棒から係合を解かれる時、当該ハブアセンブリーが当該ネジを切られた棒に摺動可能に装着される請求項１９記載のシステム。
【請求項２２】当該ハブアセンブリーが当該ネジを切られた棒に係合される時、当該ハブアセンブリーが当該ネジを切られた棒にネジにより装着される請求項１９記載のシステム。
【請求項２３】当該ネジを切られた棒が、ハンドルの遠位ハウジング及び近位ハウジングの間を延びている請求項１９記載の方法。
【請求項２４】当該ハブアセンブリーが、当該鞘に回転を与えることなく回転され得るように当該鞘に回転可能に連結されている請求項１９記載のシステム。
【請求項２５】当該ハブアセンブリーがベアリングによって当該鞘に回転可能に連結されている請求項１９記載のシステム。
【請求項２６】デリバリーシステムであって、
鞘、
管腔を含む、ネジを切られた棒、及び
当該鞘に回転可能に連結したハブアセンブリーであって、当該ハブアセンブリーが、当該ネジを切られた棒から当該ハブアセンブリーを選択的に係合及び解係合するための選択的係合部材を含むところのハブアセンブリー、ここで、当該ハブアセンブリーが当該ネジを切られた棒と係合される時、当該選択的係合部材の少なくとも１のアームが、当該ネジを切られた棒のネジを切られた外面にネジで装着される、
を含むシステム。
【請求項２７】当該ハブアセンブリーが、当該鞘に回転を与えることなく回転され得るように当該鞘に回転可能に連結されている請求項２６記載のシステム。
【請求項２８】当該ハブアセンブリーがベアリングによって当該鞘に回転可能に連結されている請求項２６記載のシステム。
【請求項２９】デリバリーシステムであって、
ハンドルを含み、当該ハンドルが
少なくとも一つのスロットを含む摺動軸、
摺動リング、
当該摺動リングに装着されたスライドであって、
当該摺動軸の内側の内体、
当該摺動軸の外側の外体及び
当該内体と当該外体を上記少なくとも１個のスロットを通して連結している連結器
を含むスライドを含み、
ここで当該摺動リング及び当該スライドが当該摺動軸に装着されているところのシステム。
【請求項３０】当該内体に連結された鞘をさらに含む請求項２９記載のシステム。
【請求項３１】当該鞘が押し出し棒管腔を有し、当該デリバリーシステムがさらに
当該鞘を通って延びる押し出し棒及び
当該押し出し棒の遠位端の上にありかつ当該鞘の遠位端の中に拘束されている補綴
を含む請求項３０記載のシステム。
【請求項３２】当該補綴が、当該摺動リングを当該摺動軸上を摺動させることによって配置される請求項３１記載のシステム。
【請求項３３】当該補綴が当該摺動リングの回転によって配置される請求項３１記載のシステム。
【請求項３４】当該補綴が、当該摺動リングを回転し摺動させることによって配置される請求項３１記載のシステム。
【請求項３５】当該スライドが統合されている請求項２９記載のシステム。
【請求項３６】当該連結器が、当該スライドの当該摺動軸に対する回転を防ぐ請求項２９記載のシステム。
【請求項３７】デリバリーシステムであって、
鞘、
管腔を含む、ネジを切られた棒、及び
当該鞘に回転を与えることなく回転され得るように当該鞘に連結されているハブアセンブリーであって、当該ハブアセンブリーが、当該ネジを切られた棒から当該ハブアセンブリーを選択的に係合及び解係合するための選択的係合部材を含むところのハブアセンブリー、ここで、当該ハブアセンブリーが当該ネジを切られた棒と係合される時、当該選択的係合部材のネジを切られた面が、当該ネジを切られた棒のネジを切られた外面にネジで装着される、
を含むシステム。
【請求項３８】デリバリーシステムであって、
鞘、
管腔を含む、ネジを切られた棒、及び
当該鞘に回転を与えることなく回転され得るように当該鞘に連結されているハブアセンブリーであって、当該ハブアセンブリーが、当該ネジを切られた棒から当該ハブアセンブリーを選択的に係合及び解係合するための選択的係合部材を含むところのハブアセンブリー、ここで、当該ハブアセンブリーが当該ネジを切られた棒と係合される時、当該選択的係合部材の少なくとも１のアームが、当該ネジを切られた棒のネジを切られた外面にネジで装着される、
を含むシステム。
【手続補正２】
【補正対象書類名】明細書
【補正対象項目名】０００７
【補正方法】変更
【補正の内容】
【０００７】
【課題を解決するための手段】
本発明の一態様によれば、補綴を配置する方法は、鞘の遠位端の中への補綴の拘束を含む。ハンドルの中のネジで係合されたハンドルの摺動リングは、鞘の引き込みのための力を起こすために、最初の方向に回転される。その摺動リングは、鞘の引き込みを完成し、補綴を配置するために摺動される。
【手続補正３】
【補正対象書類名】明細書
【補正対象項目名】００１４
【補正方法】変更
【補正の内容】
【００１４】
【発明の実施の形態】
図面を参照しながら本発明を説明する。図面において、同様の構成要素を示すために共通の照合番号が用いられる。
本発明の一つの実施態様によれば、補綴１０２（第１図）を配置する方法は、補綴１０２を鞘１０６の遠位端１２０に拘束することを含む。ハンドル１１２の摺動リング１２４は、鞘１０６の引き込みを開始するために、矢印１２６（第２図）に示される最初の方向に回転される。摺動リング１２４は、鞘１０６の引き込みを完了し、補綴１０２（第１図）を配置するために、摺動され（第３、第４図）る。
【手続補正４】
【補正対象書類名】明細書
【補正対象項目名】００１８
【補正方法】変更
【補正の内容】
【００１８】
デリバリーシステム１００は、押し出し棒１０４及び場合によりカテーテル鞘と呼ばれる鞘１０６を含む。押し出し棒１０４は、遠位端１０８及び近位端１１０を含む。補綴１０２は、押し出し棒１０４の遠位端１０８に置かれる。一つの実施態様において、遠位端１０８はさらに、遠位端１０８及び補綴１０２の位置を正確に追跡するために、放射線不透過性のマーカーを含む。押し出し棒１０４の近位端１１０はその中で終わり、ハンドル１１２又はハンドル１１２を通った延長に取り付けられ、ハンドル１１２の口１１４から出る。
【手続補正５】
【補正対象書類名】明細書
【補正対象項目名】００１９
【補正方法】変更
【補正の内容】
【００１９】
この実施態様において、押し出し棒１０４は中空の筒で、案内ワイヤー管腔を含む。案内ワイヤー１１６は押し出し棒１０４を通って延長され、遠位端１０８を越えて出る。案内ワイヤー１１６は、さらにハンドル１１２及び出口１１４を通って延長される。
【手続補正６】
【補正対象書類名】明細書
【補正対象項目名】００２０
【補正方法】変更
【補正の内容】
【００２０】
鞘１０６は、遠位端１２０及び近位端１２２を含む。配置に先立ち、補綴１０２は半径方向に圧縮されて、鞘１０６の遠位端１２０に拘束される。鞘１０６の近位端１２２は、ハンドル１１２の中へ延長される。以下にさらに討議するように、鞘１０６の近位端１２２は、摺動可能にハンドル１１２にネジで連結されている。鞘１０６は中空の筒で、押し出し棒管腔を含む。押し出し棒１０４は、鞘１０６を通して延びる。
【手続補正７】
【補正対象書類名】明細書
【補正対象項目名】００２１
【補正方法】変更
【補正の内容】
【００２１】
使用中、補綴１０２は押し出し棒１０４の遠位端１０８の上に設置され、半径方向に圧縮され、鞘１０６の遠位端１２０の中に拘束される。補綴１０６は、血管内的に導入され、治療部分即ち動脈瘤へ案内される。ひとたび補綴１０２が適正に位置を占めると、鞘１０６は操作ハンドル１１２によって引き込まれ、かくして補綴１０２は配置される。
【手続補正８】
【補正対象書類名】明細書
【補正対象項目名】００２５
【補正方法】変更
【補正の内容】
【００２５】
本発明の一つの実施態様によれば第３図は、鞘１０６の引き込み中の第２図のハンドル１１２の、詳細部分断面切欠図である。今第２図及び第３図を共に参照すると、摺動リング１２４は、遠位端２０２近位端２０４を含む。摺動リング１２４の中に位置し、且つそれと連結されるのは、スライド２０６である。一つの実施態様において、スライド２０６は、摺動リング１２４のネジを切られた内面２１０に、ネジで装着された、ネジを切られた外面２０８を含む。
【手続補正９】
【補正対象書類名】明細書
【補正対象項目名】００２６
【補正方法】変更
【補正の内容】
【００２６】
最初に、第２図に示されるように、スライド２０６は摺動リング１２４の遠位端２０２に隣接して置かれる。摺動リング１２４の矢印１２６で示される軸回転は、スライド２０６を、摺動リングの遠位端２０２から近位端２０４に向かう、矢印２１２で示される軸方向の移動への転換を起こす。
【手続補正１０】
【補正対象書類名】明細書
【補正対象項目名】００２８
【補正方法】変更
【補正の内容】
【００２８】
例えば、スライド２０６は、第２図の摺動リング１２４の遠位端２０２に隣接した、最初の軸方向の位置２２０にあるように示されている。摺動リング１２４の、矢印１２６で示された軸回転は、第３図に示されるように、摺動リング１２４の近位端２０４に隣接した第２の軸方向の位置２２２への、スライド２０６の移動を起こす。
【手続補正１１】
【補正対象書類名】明細書
【補正対象項目名】００３４
【補正方法】変更
【補正の内容】
【００３４】
第４図は、第３図のハンドル１１２の、鞘１０６が収縮中の部分拡大切り取り図である。今第３図及び第４図を共に参照すると、ハンドル１１２は、遠位端４０４及び近位端４０６を持つ摺動軸４０２を含む。摺動軸４０２は、ハンドル１１２の遠位のハウジング４１０及び近位のハウジング４１２の間に延長される。スライド２０６及び摺動リング１２４は、摺動可能に摺動軸に取り付けられている。
【手続補正１２】
【補正対象書類名】明細書
【補正対象項目名】００３５
【補正方法】変更
【補正の内容】
【００３５】
摺動軸４０２の直径Ｄ１は、遠位のハウジング４１０の遠位端の直径Ｄ２よりも小さく、且つ、近位のハウジング４１２の直径Ｄ３よりも小さい。従って、摺動リング１２４は、遠位のハウジング４１０と近位のハウジング４１２の間を、摺動軸４０２に沿って軸方向に移動することが出来る。述べられた他の方法は、遠位のハウジング４１０が、摺動リング１２４が摺動リング１２４のための前方の停止を形成し、又近位のハウジング４１２が摺動リング１２４の後方の停止を形成する。
【手続補正１３】
【補正対象書類名】明細書
【補正対象項目名】００３６
【補正方法】変更
【補正の内容】
【００３６】
摺動リング１２４は、容易且つ迅速に、ハンドル１１２の摺動軸４０２に沿って、遠位のハウジング４１０から近位のハウジング４１２へ摺動する。スライド２０６は、摺動リング１２４にネジで連結される（ある時はネジで装着されると言う）ので、摺動リング１２４の軸方向の移動は、スライド２０６の軸方向の移動を生む。スライド２０６は、鞘１０６に連結されるので、スライド２０６の軸方向の移動は鞘１０６の軸方向の移動を生む。全体として、摺動リング１２４の摺動により、鞘１０６は容易且つ迅速に引き込まれ、かくして補綴１０２の配置は急速に完了する。
【手続補正１４】
【補正対象書類名】明細書
【補正対象項目名】００３７
【補正方法】変更
【補正の内容】
【００３７】
例えば、摺動リング１２４は、第３図のハンドル１１２の遠位のハウジング４１０に隣接するように示される。摺動リング１２４の矢印３２０に示されるような軸方向の移動は、第４図に示されるように、摺動リング１２４とスライド２０６の、ハンドル１１２の近位のハウジング４１２に隣接する第３の軸方向の位置２２４への移動を起こさせる。鞘１０６は、スライド２０６に連結されている。従って、摺動リング１２４の軸方向の移動は、軸方向への移動、即ち鞘１０６の引き込みでもある。
【手続補正１５】
【補正対象書類名】明細書
【補正対象項目名】００４５
【補正方法】変更
【補正の内容】
【００４５】
内体５０４は内側であり、摺動軸４０２の中に位置される。内体５０４は、それを通して押し出し棒１０４が延長される中央間隙５０６を含む。押し出し棒１０４は、それを通して案内ワイヤー１１６が延長される案内ワイヤー管腔５０５を含む。鞘１０６の近位端１２２は、例えば接着剤又はネジで、内体５０４に取り付けられている。
【手続補正１６】
【補正対象書類名】明細書
【補正対象項目名】００５２
【補正方法】変更
【補正の内容】
【００５２】
例えば、ハブアセンブリー７０２は、第７図において、ハンドル１１２の遠位のハウジング４１０に隣接した最初の軸方向の位置７３０にあるように示される。ハブアセンブリー７０２の矢印１２６で示される方向への軸回転は、第８図に示されるように、ハブアセンブリー７０２を第２の軸方向の位置７３２遠位のハウジング４１０と近位のハウジング４１２の間に動かさせる。他の方法による記述では、ハブアセンブリー７０２の軸回転は、ハブアセンブリー７０２の軸方向の移動を起こさせる。
【手続補正１７】
【補正対象書類名】明細書
【補正対象項目名】００６０
【補正方法】変更
【補正の内容】
【００６０】
第８図に示されるように、押し出し棒１０４Ａは、ハンドル１１２の遠位のハウジング４１０及び近位のハウジング４１２の間に延長される。一つの実施態様において、遠位のハウジング４１０及び近位のハウジング４１２は、支持部材（示されていない）によって連結され支持される。
【手続補正１８】
【補正対象書類名】明細書
【補正対象項目名】００６１
【補正方法】変更
【補正の内容】
【００６１】
かみ合わせを解かれる時、ハブアセンブリー７０２は容易且つ迅速にハンドル１１２の押し出し棒１０４Ａに沿って、遠位のハウジング４１０から近位のハウジング４１２に摺動される。ハブアセンブリー７０２は、鞘１０６に連結されているため、ハブアセンブリー７０２の軸方向の移動は、鞘１０６の軸方向の移動を生み出す。全体として、ハブアセンブリー７０２の摺動により、鞘１０６は容易且つ迅速に収縮され、かくして補綴１０２の配置は急速に完了する。
【手続補正１９】
【補正対象書類名】明細書
【補正対象項目名】００６２
【補正方法】変更
【補正の内容】
【００６２】
例えば第８図に、ハブアセンブリー７０２は、ハンドル１１２の遠位のハウジング４１０と近位のハウジング４１２の間の、第２の軸方向の位置７３２にあるように示される。ハブアセンブリー７０２は、矢印７２０に示されるように、ハブアセンブリー７０２に、第８図の斜線により示されるハンドル１１２の近位のハウジング４１２に隣接した第３の軸方向の位置７３４への軸方向の移動を起こさせる。鞘１０６は、ハブアセンブリー７０２に連結される。従って、ハブアセンブリー７０２の軸方向の移動は、軸方向の移動、即ち鞘１０６の引き込みを起こす。
【手続補正２０】
【補正対象書類名】明細書
【補正対象項目名】００８５
【補正方法】変更
【補正の内容】
【００８５】
さらに、一つの実施態様において、意図せざる又は不必要な軸回転又は軸方向の移動を防止するために、歯止め又は爪歯止めが使用される。例えば、摺動リング１２４、１２４Ａ（第２図、第７図）の矢印１２６と逆の方向への軸回転を防止するために、歯止め又は爪歯止めが使用される。さらなる例として、歯止め又は爪歯止めは、摺動リング１２４、ハブアセンブリー７０２（第４図、第８図）が遠位のハウジング４１０に後退するのを防止するために使用される。